(57)【要約】【課題】  ＰＣ上で撮影画像を再生した場合にどの程度の大きさで表示できるのか使用者に通知することができる撮像装置を提供する。【解決手段】  外部表示手段の解像度を表わす外部表示手段画面ＯＳＤ４０２と、外部表示手段上に表示される撮影画像解像度を表わす撮影画像ＯＳＤ４０３とを表示手段１２３上に表示する制御手段１２９を備えた。【選択図】  図１
2007235270.tif 000002
【特許請求の範囲】
【請求項１】
外部表示手段の解像度を表わす外部表示手段画面ＯＳＤと、前記外部表示手段上に表示される撮影画像解像度を表わす撮影画像ＯＳＤとを表示手段上に表示する制御手段を備えたことを特徴とする撮像装置。
【請求項２】
外部表示手段画面ＯＳＤとして、撮影者が使用する外部表示手段の解像度を選択することを特徴とする請求項１に記載の撮像装置。
【請求項３】
前記外部表示手段画面ＯＳＤは、前記外部表示手段の解像度を変更しても大きさは変化せず、前記撮影画像ＯＳＤの大きさを前記外部表示手段の解像度と前記外部表示手段画面ＯＳＤの解像度の比と同比の大きさで表示することを特徴とする請求項１に記載の撮像装置。
【請求項４】
前記撮影画像ＯＳＤは、撮影画像の解像度設定を変更すると、解像度設定前後の大きさの比と同比で該撮影画像ＯＳＤの大きさの比を変更することを特徴とする請求項１に記載の撮像装置。
【請求項５】
前記外部表示手段画面ＯＳＤと前記撮影画像ＯＳＤは、表示、非表示を選択できることを特徴とする請求項１に記載の撮像装置。
【請求項６】
撮影画像の解像度が前記外部表示手段の解像度よりも大きい場合、前記表示手段で通知することを特徴とする請求項１に記載の撮像装置。
【発明の詳細な説明】
【技術分野】
【０００１】
本発明は、撮影される画像の解像度を表示する画像解像度表示手段を有する、デジタルカメラなどの撮像装置に関する。
【背景技術】
【０００２】
近年、デジタルカメラを代表とする撮像装置の普及が著しい。デジタルカメラがここまで普及することとなった理由としては、出荷台数の増加による大幅な価格低下も大きく寄与していると思われるが、フィルムカメラとの最も大きな違いとして、フィルムが不要であることが挙げられる。
一旦ある程度の容量を持ったメモリカードを購入すれば、ＰＣ（Personal Computer）に画像をコピーし、カードをフォーマットすることで何度もメモリカードを使用でき、ランニングコストを気にせずに気に入った被写体を次々と撮影することが可能になり、フィルムカメラと比較して、１回使用あたりの撮影枚数も増加していると考えられる。
こういった背景から、撮像装置では多くの画像が撮影されるが、撮影画像を現像に出したり、プリントアウトするにはコストも掛かることから、特に気に入った画像などに限られ、大部分の画像はＰＣのハードディスクに保存され、ＰＣのアプリケーションソフト上で閲覧されることが多い。
【０００３】
一方、撮像装置は、撮影する画像の大きさを何段階かに調整できるものがほとんどである。例えばＣＣＤ（Charge Coupled Device）の画素数が３００万画素の場合、２０４８×１５３６（３１４万画素）、１２８０×９６０（１２２万画素）、６４０×４８０（３０万画素）などの撮影画像サイズが用意されている。
これは、撮像装置に使用するメモリカードの容量が限られており、画像サイズを最大にして撮影すると画像のデータ量が多くなり、数枚しか撮影できないことがあるため、画像サイズを縮小して撮影枚数を増加させることができるようにしたためである。
このように、撮像装置で撮影画像の画素数を変えることができるが、ＬＣＤ（Liquid Crystal Display）などの撮像装置の表示手段に表示されるのは、“２０４８×１５３６”などの画素数表示だけであり、直感的に画像の大きさを把握しづらい。
このようなことから、例えば、特許文献１においては、撮像装置の表示手段上に、画像を印刷した場合の印刷範囲を表示する技術が提案されている。
【特許文献１】特開２００２−９４９０１公報
【発明の開示】
【発明が解決しようとする課題】
【０００４】
上述したように、撮影画像の画素数表示だけでなく、プリントアウトしたときにどの程度の大きさでプリントアウトされるのかを確認できることで、印刷ミスや、撮影のやり直しといった労力を省く技術はすでに提案されている。しかし、使用者は印刷よりもＰＣ上での画像閲覧の頻度が高いと考えられ、この場合の有効的な使用者への通知技術が求められている。
本発明は、ＰＣ上で撮影画像を再生した場合にどの程度の大きさで表示できるのか使用者に通知することができる撮像装置を提供することを目的とする。
【課題を解決するための手段】
【０００５】
上記目的を達成するために、請求項１記載の発明は、外部表示手段の解像度を表わす外部表示手段画面ＯＳＤと、外部表示手段上に表示される撮影画像解像度を表わす撮影画像ＯＳＤとを表示手段上に表示する制御手段を備えた撮像装置を最も主要な特徴とする。
請求項２記載の発明は、外部表示手段画面ＯＳＤとして、撮影者が使用する外部表示手段の解像度を選択する請求項１に記載の撮像装置を主要な特徴とする。
請求項３記載の発明では、外部表示手段画面ＯＳＤは、外部表示手段の解像度を変更しても大きさは変化せず、撮影画像ＯＳＤの大きさを外部表示手段の解像度と外部表示手段画面ＯＳＤの解像度の比と同比の大きさで表示する請求項１に記載の撮像装置を主要な特徴とする。
【０００６】
請求項４記載の発明では、撮影画像ＯＳＤは、撮影画像の解像度設定を変更すると、解像度設定前後の大きさの比と同比で撮影画像ＯＳＤの大きさの比を変更する請求項１に記載の撮像装置を主要な特徴とする。
請求項５記載の発明では、外部表示手段画面ＯＳＤと撮影画像ＯＳＤは、表示、非表示を選択できる請求項１に記載の撮像装置を主要な特徴とする。
請求項６記載の発明は、撮影画像の解像度が外部表示手段の解像度よりも大きい場合、表示手段で通知する請求項１に記載の撮像装置を主要な特徴とする。
【発明の効果】
【０００７】
本発明の撮像装置は、外部表示手段の解像度を表わす外部表示手段画面ＯＳＤと、外部表示手段上に表示される撮影画像解像度を表わす撮影画像ＯＳＤとを表示手段上に表示する制御手段を備えたので、ＰＣ上で撮影画像を再生した場合にどの程度の大きさで表示できるのか使用者に通知することができる。
【発明を実施するための最良の形態】
【０００８】
以下、本発明の実施の形態を図面に従って説明する。
図１は本発明の実施の形態に係る撮像装置のブロック図、図２は発明の実施の形態に係る撮像装置の前面図、図３は発明の実施の形態に係る撮像装置の背面図である。
本発明の撮像装置は、光学レンズ１０１、シャッタ１０２、光学ローパスフィルタ１０３、ＣＣＤ１０４、ＣＣＤ駆動ドライバ１０５、タイミングジェネレータ１０６、ＣＤＳ：Ａ／Ｄ（ＣＤＳとＡ／Ｄが一体になったチップ）１０７、レンズモータ１０８、シャッターモータ１０９、モータドライバ１１０、ＤＣジャック１１１、電池１１２、ＤＣ／ＤＣコンバータ１１３、操作ボタン１１４、不揮発性メモリ１１５、ＳＤＲＡＭ（Synchronous Dynamic Random Access Memory）１１６、フラッシュメモリ１１７、ＵＳＢ（Universal Serial Bus）ドライバ１１８、ＵＳＢコネクタ１１９、ビデオアンプ１２０、ＡＶ（Audio Visual）ジャック１２１、ＬＣＤ（Liquid Crystal Display）ドライバ１２２、ＬＣＤ１２３、スピーカ１２４、マイクロホン１２５、音声ＣＯＤＲＣ（COder DECorder）１２６、ストロボ回路１２７、ストロボ１２８、撮像装置ＡＳＳＰ（Application Specific Standard Products）１２９、イメージプロセッサ１３０、Ａ／Ｄ、Ｄ／Ａ変換器１３１、ビデオエンコーダ１３２、マイコン１３３、各種インターフェイス１３４、カードコネクタ１３５、メモリカード１３６、ストロボ調光センサ２０１、レリーズ２０２、ファインダ２０３、モードダイアル２０４、鏡胴２０５、バッテリ＆メモリカード挿入口３０１、  操作ボタンＡ（上）３０２、操作ボタンＢ（左）３０３、操作ボタンＣ（右）３０４、操作ボタンＤ（下）３０５、操作ボタンＥ３０６、操作ボタンＦ３０７、操作ボタンＧ３０８を備えて構成されている。
【０００９】
図１において、光学レンズ１０１はモータドライバ１１０によって制御されるレンズモータ１０８によって動かすことが可能であり、図示しない複数の光学レンズをレンズモータ１０８によってそれぞれ駆動させることで光学ズームを行ったり、フォーカスを合わせることができる。
光学レンズ１０１より入光した被写体像は、シャッターモータ１０９によって動作するシャッタ１０２により入光量を調節され、光学ローパスフィルタ１０３を通してＣＣＤ駆動ドライバ１０５によって制御されるＣＣＤ１０４に結像される。
【００１０】
ここで、撮影被写体の光量が不足している場合、ストロボ回路１２７の制御下にあるストロボ１２８を発光させ、適正光量が得られる画像を撮影することができる。
ＣＣＤ１０４にはレリーズ２０２が押されてからシャッタ１０２が開いている時間分だけ電荷が蓄積（光電変換）される。ＣＣＤ１０４は無数のセル（画素）からなり、その一つ一つの画素に集光用レンズ、カラーフィルタが付けられており、カラーフィルタの種類により赤、緑、青などそれぞれの色の光の強さが各画素に蓄積される。例えば赤、緑、青の３原色の入光量を電荷に変換し、電荷量を読み出すことで、フルカラー画像を作り出すことができる。
【００１１】
蓄積された電荷はタイミングジェネレータ１０６のクロックを使用してＣＣＤ１０４の各画素から順次ＣＤＳ：Ａ／Ｄ１０７に引き渡され、ＣＤＳ部（Correlated Double Sampling）にてノイズ成分を低減し、Ａ／Ｄ部にてアナログの電荷量をデジタル信号に変換する。
変換された各画素入光量のデジタル情報は、一時的に書き込み速度の速いＳＤＲＡＭ１６に記憶され、そこから順次、撮像装置ＡＳＳＰ１２９に引き渡され、撮像装置ＡＳＳＰ１２９内部のイメージプロセッサ１３０にてホワイトバランス処理、エッジ強調、ＪＰＥＧ（Joint Photographic Experts Group）方式による画像圧縮などの処理を施される。
この撮像装置ＡＳＳＰ１２９は特定用途（撮像装置）向けの標準ＩＣ（Integrated Circuit）であり、カメラ全体の制御を担っており、フラッシュメモリ１１７に書き込まれたソフトウェアを読み込み、ソフトウェアの指示に従って動作し、周辺機器を制御する各種ドライバの制御をする役割を担うと共に、自身に内蔵したイメージプロセッサ１３０やマイコン１３３、各種インターフェイス１３４を使用して、画像処理や操作ボタン制御、メモリ類のインターフェイス制御などの処理を行っている。
【００１２】
イメージプロセッサ１３０にて各種の処理を施された画像データは各種インターフェイス１３４によって制御される不揮発性メモリ１１５に記憶される。今日の撮像装置にはスマートメディア、ＳＤ（Secure Digital）カードなどの不揮発性メモリが搭載されている。
また、前記各種の処理を施された画像データは、ビデオエンコーダ１３２にてＮＴＳＣ、ＰＡＬ方式などに変換され、ビデオアンプ１２０を通し、ＡＶジャック１２１からＴＶなどに出力されたり、ＬＣＤドライバ１２２にてＬＣＤ表示仕様に対応した信号変換を行い、ＬＣＤ１２３に映像を表示したり、ＵＳＢドライバ１１８によって差動信号に変換され、ＵＳＢコネクタ１１９よりケーブルを介してＰＣなどに画像データを転送することもできる。
撮像装置の電源は、ＤＣジャック１１１に挿入されたＡＣアダプタ、または電池１１２から供給され、ＤＣ／ＤＣコンバータ１１３によって各デバイスに必要な直流電圧（例えば、３．３Ｖ、５Ｖ、−７．５Ｖなど）を作り出し、各デバイスに供給する。
【００１３】
音声ＣＯＤＥＣ１２６は、撮像装置ＡＳＳＰ１２９によって制御され、マイクアンプ、スピーカアンプ、Ａ／Ｄ、Ｄ／Ａ変換器、符号、復号化処理部を有し、マイクロホン１２５によって録音された音声を、増幅、Ａ／Ｄ変換、符号化処理し、その結果は、ＳＤＲＡＭ１１６に蓄積され、順次不揮発性メモリ１１５に記録される。
音声を再生する場合には、不揮発性メモリ１１５から音声デジタルデータをＳＤＲＡＭ１１６に読み出し、順次音声ＣＯＤＥＣ１２６にて復号化、Ｄ／Ａ変換、増幅処理を行い、スピーカ１２４にて音声を出力する。
【００１４】
次に、本発明の実施形態をフローチャートに基づいて説明する。実施例として、デジタルカメラで撮影した撮影画像をＰＣに接続された外部モニタで表示する例を挙げる。
図４はＬＣＤ１２３上に表示される外部表示手段画面ＯＳＤ４０２と撮影画像ＯＳＤ４０４（外部表示手段解像度＞撮影画像解像度の場合）を示す図、図５はＬＣＤ上１２３に表示される外部表示手段画面ＯＳＤ４０２と撮影画像ＯＳＤ４０４（外部表示手段解像度＜撮影画像解像度）を示す図、図６は外部表示手段画面ＯＳＤ４０２と撮影画像ＯＳＤ４０４をＬＣＤ１２３上にする制御手順を示すフローチャートである。
ここで、外部表示手段画面ＯＳＤ（On Screen Device）４０２は、外部表示手段の解像度を表わすものであり、撮影画像ＯＳＤ４０４は、外部表示手段上に表示される撮影画像の解像度を表わすものである。
【００１５】
図６において、図示しない電源ボタンを押して撮像装置の電源を投入し、ステップＳ６０１にてカメラが撮影モードに入っているかが判断される。モードダイアル２０４を回転させて、カメラを撮影モードにすると、ステップＳ６０１からステップＳ６０２へ移行する。
ステップＳ６０２にて、画像サイズＯＳＤ表示の表示、非表示を確認する。前記ＯＳＤを表示するか否かの情報は、フラッシュメモリ１１７に書き込まれており、使用者が任意に選択することができる。モードダイアル２０４を回し、カメラをＳＥＴＵＰモードに切り替え、ＬＣＤ１２３上に表示されるＯＳＤ表示の中から“画像サイズＯＳＤ表示”の項目を、操作ボタン１１４を使用して選択し、ＯＳＤの表示、非表示を選択し、選択された情報をフラッシュメモリ１１７に書き込む。ステップＳ６０２にて、画像サイズＯＳＤ表示ありの場合にはステップＳ６０３に移行する。画像サイズＯＳＤ表示なしの場合にはこのフローを終了する。
【００１６】
ステップＳ６０３にて外部表示手段画面ＯＳＤ４０２を表示する。外部表示手段画面ＯＳＤ４０２のサイズは使用者が選択できるようになっており、前記画像サイズＯＳＤ表示、非表示選択と同じようにＳＥＴＵＰモードにおいてＬＣＤ１２３上に表示されるＯＳＤを操作して選択する。
選択できる外部表示手段解像度として、例えばＰＣのデスクトップ表示領域サイズとして広く使用されている横６４０ドット×縦４８０ドット、横８００ドット×縦６００ドット、横１０２４ドット×縦７６８ドット、横１１５２ドット×縦８６４ドット、横１２８０ドット×縦１０２４ドット、横１６００ドット×縦１２００ドットなどの解像度を準備する。もちろん上記のデスクトップサイズは使用者のニーズに合わせて上記以外の解像度としてもよい。
ここで、外部表示手段画面ＯＳＤ４０２はＬＣＤ１２３上に表示される。ＯＳＤ表示を大きくしすぎて撮影の障害にならないためにも外部表示手段画面ＯＳＤ４０２はＳＥＴＵＰモードにて撮影者が設定したＰＣのデスクトップ解像度に係わらず、一定の大きさのＯＳＤとして表示する。
【００１７】
ステップ６０４にて、ＰＣのデスクトップのサイズと撮影画像の大きさを比較する。ＰＣデスクトップのサイズに対して、撮影画像の縦、横のどちらか一方でも大きい場合には、ステップ６０５に移行し、“デスクトップよりも画像が大きくなります”などと表示する警告ＯＳＤ４０４を表示し、撮影者に警告を促す。警告ＯＳＤ４０４の表示後、ステップＳ６０６に移行する。
次に、ステップ６０６にて撮影画像ＯＳＤ４０４を表示する。撮像装置の撮影画素数は、例えばＣＣＤ１０４が３３４万画素程度のものである場合、横２０４８×縦１５３６（３１４万画素）、横１２８０×縦９６０（１２２万画素）、横６４０×縦４８０（３０万画素）などの解像度で撮影できるようにしているカメラが多い。
そこで例えば、ＰＣのデスクトップのサイズが横１０２４ドット×縦７６８ドットであると撮像装置に設定してあった場合に、横６４０×縦４８０で撮影した場合には、ＬＣＤ１２３上には図４のように表示される。ここで、撮影画像ＯＳＤ４０３の大きさは外部表示手段画面ＯＳＤ４０２の大きさと比較して、縦の長さ：撮影画像の縦ドット数／ＰＣデスクトップの縦ドット数、横の長さ：撮影画像の横ドット数／ＰＣデスクトップの横ドット数の大きさになるように表示する。
【００１８】
撮像装置に搭載されるＬＣＤ１２３は、ＰＣのモニタと比較すると画素数が限られており、ドットの配列も、解像感をあげるためにデルタ配列になっているようなパネルも多く、正確に大きさを再現できないと考えられるが、できるだけ外部表示手段画面ＯＳＤ４０２と撮影画像ＯＳＤ４０３の大きさの比を、実際にＰＣデスクトップ上で撮影画像を閲覧した場合の大きさの比に近づけることとする。
また、ＰＣデスクトップよりも撮影画像が大きい部分についてはＬＣＤ１２３上には表示しないことで、撮影時の視野を狭めて撮影を妨害することを防ぎ、使用者の利便性を高めることができる。
【産業上の利用分野】
【００１９】
本発明は、撮影される画像の解像度を表示する画像表示手段を有する装置一般に応用することができる。
【図面の簡単な説明】
【００２０】
【図１】本発明の実施形態に係る撮像装置のブロック図である。
【図２】本発明の実施形態に係る撮像装置の外観図（前面部）である。
【図３】本発明の実施形態に係る撮像装置の外観図（背面部）である。
【図４】ＬＣＤパネル上に表示される外部表示手段画面ＯＳＤと撮影画像ＯＳＤ（ＰＣデスクトップサイズ＞撮影画像サイズ時）を示す図である。
【図５】ＬＣＤ上に表示される外部表示手段画面ＯＳＤと撮影画像ＯＳＤ（ＰＣデスクトップサイズ＜撮影画像サイズ）を示す図である。
【図６】外部表示手段画面ＯＳＤと撮影画像ＯＳＤをＬＣＤ上にする制御手順を示すフローチャートである。
【符号の説明】
【００２１】
１０１  光学レンズ、１０２  シャッタ、１０３  光学ローパスフィルタ、１０４  ＣＣＤ、１０５  ＣＣＤ駆動ドライバ、１０６  タイミングジェネレータ、１０７  ＣＤＳ：Ａ／Ｄ、１０８  レンズモータ、１０９  シャッターモータ、１１０  モータドライバ、１１１  ＤＣジャック、１１２  電池、１１３  ＤＣ／ＤＣコンバータ、１１４  操作ボタン、１１５  不揮発性メモリ、１１６  ＳＤＲＡＭ、１１７  フラッシュメモリ、１１８  ＵＳＢドライバ、１１９  ＵＳＢコネクタ、１２０  ビデオアンプ、１２１  ＡＶ  Ｊａｃｋ、１２２  ＬＣＤドライバ、１２３  ＬＣＤ（表示手段）、１２４  スピーカ、１２５  マイクロホン、１２６  音声ＣＯＤＲＣ、１２７  ストロボ回路、１２８  ストロボ、１２９  撮像装置ＡＳＳＰ（制御手段）、１３０  イメージプロセッサ、１３１  Ａ／Ｄ、Ｄ／Ａ変換器、１３２  ビデオエンコーダ、１３３  マイコン、１３４  各種インターフェイス、１３５  カードコネクタ、１３６  メモリカード、２０１  ストロボ調光センサ、２０２  レリーズ、２０３  ファインダ、２０４  モードダイアル、２０５  鏡胴、３０１  バッテリ＆メモリカード挿入口、３０２  操作ボタンＡ（上）、３０３  操作ボタンＢ（左）、３０４  操作ボタンＣ（右）、３０５  操作ボタンＤ（下）、３０６  操作ボタンＥ、３０７  操作ボタンＦ、３０８  操作ボタンＧ、４０２  外部表示手段画面ＯＳＤ、４０３  撮影画像ＯＳＤ、４０４  警告ＯＳＤ
【図１】
2007235270.tif 000003
【図２】
2007235270.tif 000004
【図３】
2007235270.tif 000005
【図４】
2007235270.tif 000006
【図５】
2007235270.tif 000007
【図６】
2007235270.tif 000008